(57)【特許請求の範囲】
【請求項１】
サンバイザの遮蔽体の内側に配置されるワイヤフレームと、前記遮蔽体を回動可能に支持するシャフトとを連結するサンバイザ用サポート部材であって、
前記ワイヤフレームを支持するフレーム支持部と、該フレーム支持部の一側面から延出して、前記シャフトを挿通させて支持するシャフト支持部とを有し、
前記ワイヤフレームは、前記フレーム支持部に支持される被支持部を有し、該被支持部は、前記シャフトの軸方向に伸びる第１線状部と、該第１線状部の端部から屈曲部を介して、前記シャフトの軸方向に交差し且つ前記シャフト支持部から離れる方向に伸びる第２線状部と、該第２線状部の端部から屈曲部を介して、前記シャフトの軸方向に伸びる第３線状部とを有しており、
前記フレーム支持部は、前記被支持部の前記第１線状部及び前記第２線状部が挿入される溝部と、前記シャフト支持部とは反対側であって、前記フレーム支持部の他側面に、前記被支持部を受入れて前記溝部に導くように形成された受入れ開口と、前記ワイヤフレームに係止して、前記溝部から前記被支持部を抜け止めする係止部とを有しており、
前記係止部は、前記シャフト支持部とは反対側であって、前記フレーム支持部の他側面に、前記受入れ開口と同方向に開口する挿入口を設けて、前記溝部の外方に位置する前記第３線状部を挟持するように形成された弾性係止片からなり、
前記被支持部の前記第１線状部及び前記第２線状部が前記溝部に挿入された状態で、前記第３線状部が前記溝部の外方に位置し、該第３線状部が前記弾性係止片の前記挿入口に挿入されるように構成されていることを特徴とするサンバイザ用サポート部材。
【請求項２】
前記フレーム支持部の溝部には、前記ワイヤフレームの前記被支持部の前記第１線状部及び前記第２線状部が適合する底面が設けられている請求項１記載のサンバイザ用サポート部材。
【請求項３】
前記ワイヤフレームの第１線状部は、前記シャフト支持部の、前記シャフトを挿通させるシャフト支持孔と同方向に開口すると共に、前記フレーム支持部の溝部と連通する側方開口から溝部外方に伸びて枠状をなしている請求項１又は２記載のサンバイザ用サポート部材。
【請求項４】
上記請求項１〜３のいずれか１つに記載のサンバイザ用サポート部材と、該サンバイザ用サポート部材のフレーム支持部に支持される前記ワイヤフレームと、前記サンバイザ用サポート部材のシャフト支持部に挿通支持される前記シャフトと、前記ワイヤフレームが内側に配置された前記遮蔽体とからなることを特徴とするサンバイザ。
【発明の詳細な説明】
【技術分野】
【０００１】
本発明は、サンバイザのワイヤフレーム及びシャフトを連結するためのサンバイザ用サポート部材、及び、これを用いたサンバイザに関する。
【背景技術】
【０００２】
車両の運転席や助手席には、サンバイザがシャフトを介して回動可能に配置されている。このようなサンバイザとしては、例えば、発泡成形体からなる遮蔽体の内側に、ワイヤフレームが配置された構造のものがある。
【０００３】
従来のこの種のサンバイザとして、下記特許文献１には、サンバイザ本体の外形状を保持するループ状に曲成されたワイヤフレームとシャフトとを回動可能に軸受けするサポートとを内部に備えた、車両用サンバイザが記載されている。
【０００４】
前記サポートは、シャフトの軸受孔を設けた一対の軸受け部を有しており、その両側面には嵌合溝が形成されており、更に、この嵌合溝に連通して、ワイヤ挿通孔部及び扁平孔部が、前記軸受け部の軸受孔と同一向きに形成されている。一方、前記ワイヤフレームは、サンバイザの製品形状に沿ったループ状をなし、端末どうしが対向して配置されており、各端末には、フレームに対して所定角度で折曲して、上記サポートの嵌合溝に嵌合する嵌合部と、該嵌合部の端部から互いに向き合う方向に折曲して、ワイヤ挿通孔部に挿通される挿通部と、該挿通部の端部から延出して、扁平孔部に挿通される扁平板状のプレート部とからなる。
【０００５】
そして、サポートにワイヤフレームを取付ける際には、ワイヤフレームの一方の端末の、プレート部、挿通部、嵌合部を、サポートの一側面の、扁平孔部、ワイヤ挿通孔部、嵌合部に、それぞれ挿入又は嵌合させる。その後、ワイヤフレームの他方の端末を、ワイヤフレームの弾性力に抗して拡開させつつ、そのプレート部、挿通部、嵌合部を、サポートの他側面の、扁平孔部、ワイヤ挿通孔部、嵌合部に、それぞれ挿入又は嵌合させることによって、サポートにワイヤフレームが組付けられるようになっている。
【先行技術文献】
【特許文献】
【０００６】
【特許文献１】特開２０１１−１７３４８９号公報
【発明の概要】
【発明が解決しようとする課題】
【０００７】
上記のように、上記特許文献１に記載の車両用サンバイザでは、サポートにワイヤフレームを取付ける際に、ワイヤフレームの一方の端末をサポートの一側面に挿入して嵌合させた後、同ワイヤフレームを拡開させつつ、他方の端末をサポートの他側面に挿入して嵌合させる必要があったので、煩雑で手間がかかり取付け作業性に問題があった。
【０００８】
したがって、本発明の目的は、サポート部材に対するワイヤフレームの取付け作業性を向上させることができるサンバイザ用サポート部材、及び、これを用いたサンバイザを提供することにある。
【課題を解決するための手段】
【０００９】
上記目的を達成するため、本発明の一つは、サンバイザの遮蔽体の内側に配置されるワイヤフレームと、前記遮蔽体を回動可能に支持するシャフトとを連結するサンバイザ用サポート部材であって、前記ワイヤフレームを支持するフレーム支持部と、該フレーム支持部の一側面から延出して、前記シャフトを挿通させて支持するシャフト支持部とを有し、前記ワイヤフレームは、前記フレーム支持部に支持される被支持部を有し、該被支持部は、前記シャフトの軸方向に伸びる第１線状部と、該第１線状部の端部から屈曲部を介して、前記シャフトの軸方向に交差し且つ前記シャフト支持部から離れる方向に伸びる第２線状部とを有しており、前記フレーム支持部は、前記被支持部の前記第１線状部及び前記第２線状部が挿入される溝部と、前記シャフト支持部とは反対側であって、前記フレーム支持部の他側面に、前記被支持部を受入れて前記溝部に導くように形成された受入れ開口と、前記ワイヤフレームに係止して、前記溝部から前記被支持部を抜け止めする係止部とを有していることを特徴とする。
【００１０】
本発明のサンバイザ用サポート部材においては、前記ワイヤフレームは、前記第２線状部の端部から屈曲部を介して、前記シャフトの軸方向に伸びる第３線状部を有しており、前記フレーム支持部の係止部は、前記シャフト支持部とは反対側であって、前記フレーム支持部の他側面に、前記受入れ開口と同方向に開口する挿入口を設けて、前記第３線状部を挟持するように形成された弾性係止片からなることが好ましい。
【００１１】
本発明のサンバイザ用サポート部材においては、前記係止部は、前記ワイヤフレームの前記被支持部の前記第１線状部及び前記第２線状部が前記溝部に挿入された状態で、前記第３線状部が前記弾性係止片の前記挿入口に挿入されるように構成されていることが好ましい。
【００１２】
本発明のサンバイザ用サポート部材においては、前記フレーム支持部の溝部には、前記ワイヤフレームの前記被支持部の前記第１線状部及び前記第２線状部が適合する底面が設けられていることが好ましい。
【００１３】
本発明のサンバイザ用サポート部材においては、前記ワイヤフレームの第１線状部は、前記シャフト支持部の、前記シャフトを挿通させるシャフト支持孔と同方向に開口すると共に、前記フレーム支持部の溝部と連通する側方開口から溝部外方に伸びて枠状をなしていることが好ましい。
【００１４】
本発明のもう一つは、サンバイザであって、上記いずれかのサンバイザ用サポート部材と、該サンバイザ用サポート部材のフレーム支持部に支持される前記ワイヤフレームと、前記サンバイザ用サポート部材のシャフト支持部に挿通支持される前記シャフトと、前記ワイヤフレームが内側に配置された前記遮蔽体とからなることを特徴とする。
【発明の効果】
【００１５】
本発明のサンバイザ用サポート部材によれば、フレーム支持部の受入れ開口を通して、ワイヤフレームの被支持部を溝部に押し込み、ワイヤフレームを係止部に係止させるだけの簡単な作業で、サポート部材にワイヤフレームを支持させることができるので、ワイヤフレームとサポート部材との取付け作業性を向上させることできる。
【００１６】
一方、本発明のサンバイザによれば、フレーム支持部の受入れ開口から、ワイヤフレームの被支持部を押し込むだけの簡単な作業で、フレーム支持部の溝部に被支持部が挿入されて係止部により抜け止めされて、サポート部材にワイヤフレームを支持させることができ、ワイヤフレームとサポート部材との取付け作業性を向上させた、サンバイザを得ることができる。
【図面の簡単な説明】
【００１７】
【図１】本発明に係るサンバイザ用サポート部材及びこれを用いたサンバイザの、一実施形態を示す斜視図である。
【図２】同サポート部材の斜視図である。
【図３】同サポート部材及びワイヤフレームの斜視図である。
【図４】同サポート部材の正面図である。
【図５】（ａ）は同サポート部材の側面図、（ｂ）は同サポート部材の底面図である。
【図６】同サポート部材及びこれを用いたサンバイザの斜視図である。
【図７】図６の要部拡大斜視図である。
【図８】同サポート部材にワイヤフレームを支持させた状態の、要部拡大斜視図である。
【発明を実施するための形態】
【００１８】
以下、図面を参照して、本発明に係るサンバイザ用サポート部材、及び、これを用いたサンバイザの、一実施形態について説明する。
【００１９】
図１及び図６に示すように、この実施形態のサンバイザ用サポート部材１０（以下、単に「サポート部材１０」という）は、サンバイザ１の遮蔽体３の内側に配置されるワイヤフレーム５０と、遮蔽体３を回動可能に支持するシャフト５とを連結するものであって、ワイヤフレーム５０を支持するフレーム支持部２０と、該フレーム支持部２０の一側面２３（図２参照）から延出して、シャフト５を挿通させて支持するシャフト支持部４０，４０とを有している。
【００２０】
なお、サンバイザ１の遮蔽体３は、例えば、ポリプロピレン等の発泡成形体から形成することができるが、これに限定されるものではない。また、前記シャフト５は、略Ｌ字状に屈曲した形状をなし、その先端部には、サポート部材１０に対する抜け止め用の突起５ａが設けられている（図１及び図７参照）。
【００２１】
更に、図６及び図７に示すように、サポート部材１０には、シャフト５に摩擦力を付与して、サンバイザ１を所定角度に静止した状態に保持する（フリーストップさせる）ための、バネ部材７が装着されている。このバネ部材７は、シャフト外周に弾性的に当接する筒状部８と、該筒状部８から延設した両側部９，９とから形成されており、その両側部９，９がサポート部材１０を挟持されることで、サポート部材１０にバネ部材７が装着される（図７参照）。なお、このバネ部材７は、シャフト５に摩擦力を付与可能であれば、どのような形状であってもよく、また、バネ部材７ではなく、筒状の回転ダンパー等によって、摩擦力を付与するようにしてもよい。
【００２２】
また、図１に示すように、この実施形態におけるワイヤフレーム５０は、一本のワイヤの両端部どうしが、互いに対向して配置されるように、ループ状に折り曲げて枠状に形成されており、その両端部及びそれらの近傍が、フレーム支持部２０に支持される被支持部５２をなしている。
【００２３】
図３を併せて参照すると、前記被支持部５２は、シャフト５の軸方向に伸びる第１線状部５３，５３と、各第１線状部５３の端部から屈曲部５４，５４を介してシャフト５の軸方向に交差し且つシャフト支持部４０から離れる方向に伸びる第２線状部５５，５５とを有している。なお、この実施形態における各第２線状部５５，５５は、互いに近接するように斜めに延びている。
【００２４】
また、図１及び図６及び図８に示すように、前記第１線状部５３，５３は、前記シャフト支持部４０の、シャフト５を挿通させるシャフト支持孔４１と同方向に開口すると共に、フレーム支持部２０の後述する溝部２８と連通する側方開口２８ａから、溝部外方に伸びて、遮蔽体３の外周に形状に沿った枠状をなしている。図７及び図８に示すように、この実施形態における第１線状部５３は、フレーム支持部２０の溝部２８の、シャフト支持部４０に近接した前記側方開口２８ａから溝部外方に伸びている。
【００２５】
更に、各第２線状部５５，５５の端部からは、屈曲部５６，５６を介して、シャフト５の軸方向に沿って第３線状部５７，５７が伸びており、両第３線状部５７，５７の端面どうしが所定間隔を空けて互いに向き合うように配置されている。
【００２６】
なお、以上説明したワイヤフレーム５０の形状は一例であり、少なくともサポート部材に支持される被支持部を有し、遮蔽体を支持可能なものであれば、特に限定はされない。
【００２７】
次に、図２〜６を参照して、この実施形態におけるサポート部材１０を説明する。
【００２８】
この実施形態の場合、サポート部材１０を構成するフレーム支持部２０は、一方向に長く伸びる長尺形状をなしており、その正面及び背面（サポート部材１０の長手方向に沿った面であって且つ遮蔽体３の面方向に沿った両面）には、バネ部材７の両側部９，９を受け入れて支持するための、バネ支持凹部２１，２１が設けられている。
【００２９】
また、フレーム支持部２０の、前記シャフト５に近接する一側面２３（図２参照）であって、フレーム支持部２０の長手方向両側部からは、一対のシャフト支持部４０，４０が所定長さで延出している。
【００３０】
各シャフト支持部４０の厚さ方向（延出方向に直交する方向）には、シャフト５が挿通されて支持されるシャフト支持孔４１が貫通して形成されており、このシャフト支持孔４１の溝部２８側には、シャフト５の突起５ａを通過可能な突起通過溝４３が、シャフト支持孔４１に連通して形成されている（図２及び図３参照）。したがって、シャフト５及びその突起５ａを、シャフト支持孔４１及び突起通過溝４３に整合させて、それらを挿通させ、シャフト５に対してサポート部材１０を所定方向に回動させると、シャフト５にサポート部材１０が抜け止めされる（図７参照）。
【００３１】
なお、この実施形態では、一対のシャフト支持部４０，４０が延設されているが、シャフト支持部４０は、１個でも３個以上の複数個でもよく、形成位置も特に限定はされない。例えば、１個のシャフト支持部４０を、フレーム支持部２０の長手方向中央に設けてもよい。
【００３２】
また、図３及び図４に示すように、フレーム支持部２０の、前記一対のシャフト支持部４０，４０とは反対側で、かつ、フレーム支持部２０の他側面２５であって、同フレーム支持部２０の長手方向両側部には、円弧状に丸みを帯びたＲ状部２７，２７が形成されている。
【００３３】
そして、フレーム支持部２０には、ワイヤフレーム５０の被支持部５２の、第１線状部５３及び第２線状部５５が適合して挿入される溝部２８と、シャフト支持部４０とは反対側（シャフト支持部４０の延出面である一側面２３とは反対側）であって、フレーム支持部２０の他側面２５に、被支持部５２を受入れて溝部２８に導くように形成された受入れ開口３０と、ワイヤフレーム５０に係止して、溝部２８から被支持部５２を抜け止めする係止部とを有している。
【００３４】
図３、図４及び図５（ｂ）に示すように、この実施形態では、フレーム支持部２０の、長手方向両端部に、溝部２８，２８がそれぞれ設けられていると共に、各溝部２８，２８に対応する受入れ開口３０，３０が設けられている。
【００３５】
図２及び図３に示すように、各溝部２８は、フレーム支持部２０の長手方向に直交した外側面２６側が開口した形状、すなわち、前記シャフト支持部４０のシャフト支持孔４１と同方向に開口して、溝部２８と連通する側方開口２８ａを有していると共に、前記受入れ開口３０を通じて、フレーム支持部２０の他側面２５側が開口した構造をなしている。なお、溝部２８の開口幅は、ワイヤフレーム５０の線径にほぼ適合する大きさとなっており、溝部２８にワイヤフレーム５０の被支持部５２が挿入されたときに、ほぼガタ付きがないように保持可能となっている。
【００３６】
また、図４に示すように、各溝部２８には、ワイヤフレーム５０の被支持部５２の、第１線状部５３及び第２線状部５５に適合する底面２９が設けられている。この実施形態における溝部２８の底面２９は、第１線状部５３に適合するようにシャフト５の軸方向に伸びる平坦面２９ａと、屈曲部５４に適合するように屈曲した屈曲面２９ｂと、第２線状部５５に適合するようにフレーム支持部２０の他側面２５に向けて斜めに伸びる傾斜面２９ｃとを有している。なお、この底面２９の形状は、ワイヤフレーム５０の被支持部５２の、第１線状部５３や第２線状部５５の形状に応じて、適宜変化させることが好ましい。
【００３７】
更に、フレーム支持部２０の他側面２５に設けられた、溝部２８に連通した各受入れ開口３０は、次のような形状をなしている。
【００３８】
すなわち、この受入れ開口３０は、図５（ｂ）に示すように、フレーム支持部２０の他側面２５側から見たときに、ワイヤフレーム５０の線径よりも拡開した拡開部３１を有しており、この拡開部３１の内周面３１ａは、該拡開部３１の開口から、溝部２８の奥方（フレーム支持部２０の他側面２５から一側面２３に向かう方向、以下の説明でも同様）に向かって、次第に幅狭となる曲面状をなしており（図３参照）、前記溝部２８の内周面に至るようになっている。この拡開部３１は、受入れ開口３０にワイヤフレーム５０の被支持部５２を受け入れやすくさせるためのものである。
【００３９】
また、各受入れ開口３０の、フレーム支持部２０の長手方向端部側には、図５（ｂ）に示すように、フレーム支持部２０の他側面２５側から見たときに、前記拡開部３１よりも幅狭で、前記溝部２８の内周面に至るように形成された、幅狭部３３が設けられている。この幅狭部３３は、受入れ開口３０を通じて、溝部２８にワイヤフレーム５０の被支持部５２を挿入していく際に、被支持部５２を位置決めして押し込みやすくさせるものである。
【００４０】
更に前述したように、フレーム支持部２０には、ワイヤフレーム５０に係止する係止部が設けられている。
【００４１】
この実施形態においては、フレーム支持部２０の、シャフト支持部４０とは反対側であって、フレーム支持部２０の他側面２５には、一対の受入れ開口３０，３０に隣接した位置から、ワイヤフレーム５０の第３線状部５７を挟持する、撓み変形可能な弾性係止片３５，３５がそれぞれ突設されている。
【００４２】
各弾性係止片３５は、前記受入れ開口３０と同方向に開口する挿入口３６を設けた略円筒枠状をなしており、また、挿入口３６の開口幅は、ワイヤフレーム５０の線径よりも狭くなるように形成されている。そして、弾性係止片３５の挿入口３６からワイヤフレーム５０の第３線状部５７を押し込むと、第３線状部５７が弾性係止片３５により挟持されるようになっている（図８参照）。
【００４３】
また、この実施形態における係止部は、図４及び図８に示すように、ワイヤフレーム５０の被支持部５２の、第１線状部５３及び第２線状部５５が、溝部２８に挿入された状態で、第３線状部５７が、弾性係止片３５の挿入口３６に挿入されるように構成されている。
【００４４】
なお、係止部としては、上記のような弾性係止片３５の形状に限定されず、ワイヤフレーム５０を係止可能な形状であればよく、ワイヤフレーム５０を圧入して抜け止めする形状も含まれる。また、係止部の形成位置も、フレーム支持部２０の他側面２５に限らず、ワイヤフレーム５０を係止可能な位置であればどこでもよい。
【００４５】
以上、本発明に係るサポート部材１０について説明したが、本発明のもう一つは、このサポート部材１０を用いたサンバイザ１である。
【００４６】
図１及び図６に示すように、この実施形態におけるサンバイザ１は、上記サポート部材１０と、このサポート部材１０のフレーム支持部２０に支持されるワイヤフレーム５０と、サポート部材１０のシャフト支持部４０に挿通支持されるシャフト５と、ワイヤフレーム５０が内側に配置された遮蔽体３とから構成されている。
【００４７】
なお、このサンバイザ１は、サポート部材１０のフレーム支持部２０にワイヤフレーム５０を支持させると共に、シャフト支持部４０にシャフト５を支持させて、ワイヤフレーム５０とシャフト５とをサポート部材１０を介して連結させ、更にサポート部材１０にバネ部材７を装着した状態で、所定の型枠にセットして、例えば、ポリプロピレン等の発泡樹脂を射出することで、遮蔽体３の内部に、ワイヤフレーム５０やサポート部材１０等が埋設されるように形成された、いわゆるインサート成形により製造される。ただし、これに限定されるものではない。
【００４８】
次に、上記構造からなるサポート部材１０、及び、これを用いたサンバイザ１の作用効果について説明する。
【００４９】
すなわち、図３に示すように、ワイヤフレーム５０の被支持部５２の、第１線状部５３及び第２線状部５５を、サポート部材１０の受入れ開口３０に整合させると共に、被支持部５２の第３線状部５７を、サポート部材１０の弾性係止片３５の挿入口３６に整合させて、この状態で、サポート部材１０に対してワイヤフレーム５０の被支持部５２を押し込んでいく。
【００５０】
すると、ワイヤフレーム５０の被支持部５２が、受入れ開口３０の幅狭部３３に位置決めされ、かつ、拡開部３１の内周面３１ａにガイドされながら押し込まれて、受入れ開口３０を通じて、溝部２８内に挿入される。その後、被支持部５２の第１線状部５３、屈曲部５４、第２線状部５５が、溝部２８の底面２９の平坦面２９ａ、屈曲面２９ｂ、傾斜面２９ｃに当接するまで、被支持部５２を押し込む。
【００５１】
その結果、図４、図７及び図８に示すように、フレーム支持部２０の溝部２８の底面２９の平坦面２９ａ、屈曲面２９ｂ、傾斜面２９ｃに、被支持部５２の第１線状部５３、屈曲部５４、第２線状部５５が、それぞれ適合した状態で挿入されて、サポート部材１０に対してワイヤフレーム５０を回り止めすることができる。
【００５２】
また、溝部２８への被支持部５２の挿入作業と共に、ワイヤフレーム５０の第３線状部５７が、弾性係止片３５の挿入口３６から挿入されて、同弾性係止片３５によって挟持されるので、溝部２８から被支持部５２を抜け止めした状態で、サポート部材１０にワイヤフレーム５０を支持させることができる（図７及び図８参照）。
【００５３】
更に、シャフト５及びその突起５ａを、シャフト支持孔４１及び突起通過溝４３に整合させて挿通させ、シャフト５に対してサポート部材１０が所定方向に回動させることで、図７に示すように、シャフト５にサポート部材１０を回動可能に支持させることができ、それによって、シャフト５にサンバイザ１を回動可能に装着することができる。
【００５４】
以上のように、このサポート部材１０においては、上述したように、フレーム支持部２０の受入れ開口３０を通して、ワイヤフレーム５０の被支持部５２を溝部２８に押し込み、ワイヤフレーム５０の所定箇所（ここでは第３線状部５７）を係止部（弾性係止片３５）に係止させるだけの簡単な作業で、サポート部材１０にワイヤフレーム５０を支持させることができ、ワイヤフレーム５０とサポート部材１０との取付け作業性を向上させることができる。すなわち、上記特許文献１のように、ワイヤフレームを拡開させつつ、端末をサポート側面に挿入し嵌合させる必要がなく、フレーム支持部２０の受け入れ開口３０へ、被支持部５２を押し込むだけでよいので（一方向の押し込み作業だけでよい）、ワイヤフレーム５０とサポート部材１０との取付け作業性がよい。
【００５５】
また、この実施形態においては、フレーム支持部２０の係止部は、受入れ開口３０と同方向に挿入口３６が設けられた弾性係止片３５からなるので、ワイヤフレーム５０の被支持部５２を、受入れ開口３０に挿入する方向と、ワイヤフレーム５０の第３線状部５７を、弾性係止片３５の挿入口３６に挿入する方向とを、同じにすることができる（図３参照）。したがって、被支持部５２を受入れ開口３０に挿入しつつ、第３線状部５７を弾性係止片３５の挿入口３６に挿入することができ、ワイヤフレーム５０とサポート部材１０との取付け作業性を、より向上させることができる。
【００５６】
更にこの実施形態においては、ワイヤフレーム５０を係止する係止部は、ワイヤフレーム５０の被支持部５２の第１線状部５３及び第２線状部５５が、フレーム支持部２０の溝部２８に挿入された状態で、ワイヤフレーム５０の第３線状部５７が、弾性係止片３５の挿入口３６に挿入されるように構成されている（図４及び図８参照）。そのため、被支持部５２の第１線状部５３及び第２線状部５５が、フレーム支持部２０の溝部２８に挿入されることにより、ワイヤフレーム５０がサポート部材１０に対して回り止めされると共に、溝部２８が挿入時のガイドとなるので、第３線状部５７を、弾性係止片３５の挿入口３６に位置合わせしやすくなり、第３線状部５７を挿入口３６に容易に挿入することができ、ワイヤフレーム５０とサポート部材１０との取付け作業性を、より一層向上させることができる。
【００５７】
また、この実施形態においては、図４に示すように、フレーム支持部２０の溝部２８に、ワイヤフレーム５０の被支持部５２の第１線状部５３及び第２線状部５５が適合する底面２９（平坦面２９ａや傾斜面２９ｃ）が設けられているので、フレーム支持部２０の受入れ開口３０から、ワイヤフレーム５０の被支持部５２を押し込んで、溝部２８の底面２９に当接させることにより、被支持部５２をサポート部材１０にガタ付きなくしっかりと保持させることができる。
【００５８】
更にこの実施形態においては、図６に示すように、ワイヤフレーム５０の第１線状部５３は、シャフト支持部４０の、シャフト５を挿通させるシャフト支持孔４１と同方向に開口すると共に、フレーム支持部２０の溝部２８と連通する側方開口２８ａから、溝部外方に伸びて枠状をなしている。すなわち、第１線状部５３が、フレーム支持部２０の溝部２８の、シャフト支持部４０に近接した前記側方開口２８ａから伸びるように構成されているため、シャフト支持部４０に挿通支持されるシャフト５に近い位置で、ワイヤフレーム５０をサポート部材１０に支持させることができ、サポート部材１０によるワイヤフレーム５０の支持力を高めることができる。
【００５９】
一方、本発明におけるサンバイザ１においては、上述したように、上記サポート部材１０と、フレーム支持部２０に支持されるワイヤフレーム５０と、シャフト支持部４０に挿通支持されるシャフト５と、ワイヤフレーム５０が内側に配置された遮蔽体３とから構成されている。そのため、フレーム支持部２０の受入れ開口３０から、ワイヤフレーム５０の被支持部５２を押し込むだけの簡単な作業で、フレーム支持部２０の溝部２８に被支持部５２が挿入されて係止部（ここでは弾性係止片３５）により抜け止めされて、サポート部材１０にワイヤフレーム５０を支持させることができ、ワイヤフレーム５０とサポート部材１０との取付け作業性を向上させた、サンバイザ１を得ることができる。
【００６０】
なお、本発明は、上述した実施形態に限定されるものではなく、本発明の要旨の範囲内で、各種の変形実施形態が可能であり、そのような実施形態も本発明の範囲に含まれる。
【符号の説明】
【００６１】
１０  サンバイザ用サポート部材（サポート部材）
２０  フレーム支持部
２３  一側面
２５  他側面
２８  溝部
２９  底面
３０  受入れ開口
３５  弾性係止片
３６  挿入口
４０  シャフト支持部
５０  ワイヤフレーム
５２  被支持部
５３  第１線状部
５４  屈曲部
５５  第２線状部
５６  屈曲部
５７  第３線状部
【図１】
0006566436.tif 000002
【図２】
0006566436.tif 000003
【図３】
0006566436.tif 000004
【図４】
0006566436.tif 000005
【図５】
0006566436.tif 000006
【図６】
0006566436.tif 000007
【図７】
0006566436.tif 000008
【図８】
0006566436.tif 000009